(57)【特許請求の範囲】
【請求項１】
アオイ科トロロアオイ属に分類される植物を乾燥させて粉砕した粉状体及びケラチン加水分解物を含有することを特徴とする放射性物質を含む放射性汚染物の除染剤組成物。
【請求項２】
請求項１に記載の除染剤組成物を、放射性物質を含む放射性汚染物と水相において混合する工程と、前記混合物に気体を注入して前記放射性汚染物を含む泡を発生させる工程と、前記泡を収集して凝集剤を添加し、前記泡に含まれる前記放射性物質を凝集分離・濃縮し、前記泡を消泡する工程と、
により、前記放射性汚染物から前記放射性物質を除去する除染方法。
【請求項３】
前記泡の発生により前記放射性物質を除去した後の前記混合物を、更に界面活性剤で洗浄すること、を特徴とする請求項２に記載の除染方法。
【請求項４】
前記凝集剤が、アオイ科トロロアオイ属に分類される植物を乾燥させて粉砕した粉状体を含むこと、を特徴とする請求項２に記載の除染方法。
【発明の詳細な説明】
【技術分野】
【０００１】
本発明は、除染剤組成物及び除染方法に関し、更に具体的には、放射性物質を含む放射性汚染物の除染剤組成物及び除染方法に関する。
【背景技術】
【０００２】
２０１１年３月に発生した未曾有の東日本大震災により、地震と津波による被害を受けた 東京電力福島第一原子力発電所では、全電源を喪失して原子炉を冷却できなくなり、大量の放射性物質の漏洩を伴う重大な原子力事故に発展した（福島第一原子力発電所事故）。
【０００３】
特に大量の放射性物質の漏洩により、土壌、建物、道路、森林、瓦礫及び焼却灰等が放射性物質によって汚染されてしまい、これら放射性汚染物から放射性物質を除去する除染方法が被災地では最も重要な事項のうちのひとつとされている。
【０００４】
ここで、例えば特許文献１（特開２００６−０７８３３６号公報）においては、形状が複雑な除染対象物に付着した放射性物質についても、また、油汚染、塗膜汚染、塵埃汚染、酸化皮膜汚染等の汚染形態の異なる放射性廃棄物に対しても十分な除染効果を得ることができ、しかも二次廃棄物の問題も解決した除染方法およびこれに用いる除染装置を提供することを意図した技術が提案されている。
【０００５】
即ち、上記特許文献１においては、原子力施設から発生する除染対象物を、アルカリ除染剤を用いるアルカリ除染工程と、有機酸および無機酸を組み合わせた酸除染剤を用いる酸除染工程とを組み合わせた除染処理に付すことを特徴とする放射性物質の除去方法等が提案されている。
【０００６】
また、特許文献２（特開２００４−２８６４７１公報）においては、除染速度が高く除染装置の腐食が少なく二次廃棄物発生量の少ない放射能の化学除染方法及び装置を提供することを意図した技術が提案されている。
【０００７】
即ち、上記特許文献２においては、放射性物質で汚染された除染対象物をギ酸とシュウ酸からなる除染液に浸漬し前記除染対象物の電位を腐食領域まで下げて前記除染対象物の表面を溶解し、前記除染液中の金属イオンを陽イオン交換樹脂で分離し除去する技術が提案されている。
【先行技術文献】
【特許文献】
【０００８】
【特許文献１】特開２００６−０７８３３６号公報
【特許文献２】特開２００４−２８６４７１公報
【発明の概要】
【発明が解決しようとする課題】
【０００９】
しかしながら、上記特許文献１及び特許文献２等の従来技術で提供されているアルカリ除染剤及びギ酸とシュウ酸からなる除染液では、土壌、建物、道路、森林、瓦礫及び焼却灰等の放射性汚染物から放射性物質を必ずしも効率良く除去できず、また、必ずしも自然に優しい成分を含んでいるともいえず、未だ改善の余地があった。
【００１０】
そこで、本発明の目的は、土壌、建物、道路、森林、瓦礫及び焼却灰等の放射性汚染物から放射性物質を効率良く除去することができ、かつ、自然に優しい成分からなる除染剤組成物と、当該除染剤組成物を用いた除染方法と、を提供することにある。
【課題を解決するための手段】
【００１１】
上述した課題を解決すべく、本発明者らは鋭意実験を繰り返して検討した結果、放射性汚染物から放射性物質を効率良く除去することができ、かつ、自然に優しい成分からなる除染剤組成物を得るためには、天然成分であるアオイ科トロロアオイ属由来成分を用いれば、当該アオイ科トロロアオイ属由来成分が放射性物質を吸着して確実に捕捉し、放射性汚染物から放射性物質を効率良く除去できることを見出し、本発明を完成するに至った。
【００１２】
即ち、本発明は、アオイ科トロロアオイ属由来成分を含有することを特徴とする放射性物質を含む放射性汚染物の除染剤組成物を提供するものである。
【００１３】
このような構成を有する本発明の除染剤組成物によれば、アオイ科トロロアオイ属由来成分が、放射性汚染物に含まれる放射性物質を吸着して捕捉することから、放射性汚染物から放射性物質を効率良く除去できる。また、アオイ科トロロアオイ属由来成分は天然成分であるから本発明の除染剤組成物は自然に優しくもある。
【００１４】
上記の本発明の除染剤組成物は、更にケラチン加水分解物を含有することが好ましい。
【００１５】
このような構成を有する本発明の除染剤組成物によれば、ケラチン加水分解物がアオイ科トロロアオイ属由来成分とともに、放射性汚染物に含まれる放射性物質を吸着して捕捉し、放射性汚染物から放射性物質をより効率良く除去できる。また、ケラチン加水分解物はタンパク質であるからこの本発明の除染剤組成物は自然に優しくもある。
【００１６】
また、本発明は、上記除染剤組成物を、例えば水相において、放射性物質を含む放射性汚染物と混合することにより、前記放射性汚染物から前記放射性物質を除去する除染方法を提供するものである。
【００１７】
このような構成を有する本発明の除染方法によれば、アオイ科トロロアオイ属由来成分が、放射性汚染物に含まれる放射性物質を吸着して捕捉することから、放射性汚染物から放射性物質を効率良く除去でき、放射性物質を含む排液を得ることができる。また、アオイ科トロロアオイ属由来成分は天然成分であるから上記排水本発明の除染剤組成物は自然に優しくもある。
【００１８】
上記本発明の除染方法においては、除染剤組成物と放射性汚染物との混合物に気体を注入すること、が好ましい。
【００１９】
このような構成を有する本発明の除染方法によれば、気体の注入により除染剤組成物と放射性汚染物との混合物内に泡が発生し、当該泡によって放射性汚染物に含まれる汚染物を浮上分級させることができ（例えば、放射性汚染物が土壌の場合、粘土及びシルトを浮上する泡によって分級・分離させることができ）、除染が困難とされている粒径等のサイズが小さい放射性汚染物（この場合はシルトや粘土）から放射性物質をより確実に除去することができる。これにより、放射性汚染物の除染処理後の容積を小さくすることができ、除染処理後の放射性汚染物の減容化に好適である。なお、気体を注入した後に発生した泡を収集し、ケラチン加水分解物を用いて当該泡を物理的又は化学的に消泡してもよい。
【００２０】
また、上記本発明の除染方法においては、除染剤組成物を放射性汚染物と混合して放射性汚染物から放射性物質を除去した後、更に放射性汚染物を界面活性剤で洗浄すること、が好ましい。
【００２１】
このような構成を有する本発明の除染方法によれば、アオイ科トロロアオイ属由来成分単独、又は、アオイ科トロロアオイ属由来成分及びケラチン加水分解物の組合せ、によって除染処理を施した放射性汚染物に放射性物質が残存している場合に、当該残存放射性物質を洗い流すことができ、放射性汚染物から放射性物質を更に効率良く除去できる。
【００２２】
上記本発明の除染方法においては、上記除染方法により得られる放射性物質を含む排液に更に凝集剤を添加し、放射性物質を凝集分離して濃縮すること、が好ましい。
【００２３】
このような構成を有する本発明の除染方法によれば、放射性汚染物から放射性物質を凝集分離及び濃縮することができ、放射性汚染物の減容化効率が高い。更に、凝集沈殿処理後の排液は放射性物質を含まないため、安全に公共水域に放流することができ、このことからも放射性汚染物の減容化効率が高いといえる。
【００２４】
上記本発明の除染方法においては、凝集剤がアオイ科トロロアオイ属由来成分を含むこと、が好ましい。
【００２５】
このような構成を有する本発明の除染方法によれば、排液に含まれる放射性物質を効率良く凝集分離することができ、また、天然成分により凝集させるため、より排液に凝集剤が残存していても安全に公共水域に放流することができ、自然に優しい。
【発明の効果】
【００２６】
本発明によれば、土壌、建物、道路、森林、瓦礫及び焼却灰等の放射性汚染物から放射性物質を効率良く除去することができ、かつ、自然に優しい成分からなる除染剤組成物と、当該除染剤組成物を用いた除染方法と、を提供することができる。
【図面の簡単な説明】
【００２７】
【図１】本発明の除染方法の一実施形態を説明するための図である。
【発明を実施するための最良の形態】
【００２８】
（１）除染剤組成物
本発明の除染剤組成物は、アオイ科トロロアオイ属由来成分を含有することを特徴とする放射性物質を必須成分として含むことを特徴とする。このアオイ科トロロアオイ属由来成分は、被子植物門、双子葉植物綱、アオイ目、アオイ科、トロロアオイ属（Ａｂｅｌｍｏｓｃｈｕｓ）に属するオクラやリュウキュウトロロアオイなどの植物に由来する成分である。
【００２９】
アオイ科トロロアオイ属由来成分は、アオイ科トロロアオイ属に分類される植物を、例えば乾燥させて粉砕した粉状体によって構成され、オクラを乾燥させて粉砕した粉状体（オクラ由来成分）等がこれに含まれるものであり、ペクチン、ガラクタン、アラバン及びムチン等の他、ミネラル、カルシウム、カリウム、ビタミンＡ、Ｂ１、Ｂ２及びＣ等のオクラの構成成分を含む。
【００３０】
このようにアオイ科トロロアオイ属由来成分を乾燥及び粉砕したものをアオイ科トロロアオイ属由来成分として用いれば、アオイ科トロロアオイ属由来成分の表面積が大きくなる等し、本発明の除染剤組成物による除染効果が更に得られ易い。
【００３１】
より具体的には、アオイ科トロロアオイ属由来成分をなす粉状体の粒度は、１８メッシュ以下であることが望ましく、４０メッシュ以下であることがより一層好ましい。アオイ科トロロアオイ属由来成分の粒度は、処理対象となる放射性汚染物に除染剤組成物を投入した際の分散度や反応度を考慮し、可能な限り細かいことが望ましい。また、使用する形態は、粉体のままでもよく、粉状体を水に溶解（又は分散）した水溶液（又は分散液）でもよい。
【００３２】
また、本発明における「アオイ科トロロアオイ属由来成分」は、アオイ科トロロアオイ属に属する植物の表皮部分、当該植物の内部において内壁をなす繊維壁（以下、「内側繊維壁」ともいう。）及び種のうちの全てを一緒に乾燥して粉砕したものであっても、これらのうちのいずれかを組み合わせて選択して乾燥し粉砕したものであってもよい。
【００３３】
後述するように、アオイ科トロロアオイ属由来成分は、表皮部分、内側繊維壁及び種のいずれについても同様の効果を発揮するが、その製造の容易さや原料となるオクラなどのアオイ科トロロアオイ属に分類される植物を有効利用する等の観点から、アオイ科トロロアオイ属に属する植物の全部分を乾燥して粉砕したものをアオイ科トロロアオイ属由来成分として用いることが好適である。
【００３４】
本発明の除染剤組成物におけるアオイ科トロロアオイ属由来成分の含有量は、例えば放射性汚染物に含まれる放射性物質等の量に応じて適宜調整することが可能であるが、除染剤組成物の調製や保存安定性等の観点から、例えば、放射性汚染物が土壌の場合は、当該土壌を水に分散させて得られる試料中に含まれる放射性物質の量を予め測定しておき、これに対応して適度に選択すればよい。
【００３５】
また、本発明の除染剤組成物は、必須成分であるアオイ科トロロアオイ属由来成分に加えて、ケラチン加水分解物を含有することが好ましい。
【００３６】
ケラチン加水分解物がアオイ科トロロアオイ属由来成分とともに、放射性汚染物に含まれる放射性物質を吸着して捕捉し、放射性汚染物から放射性物質をより効率良く除去でき、ケラチン加水分解物はタンパク質であるからこの本発明の除染剤組成物は自然に優しくもある。
【００３７】
本発明の除染剤組成物におけるケラチン加水分解物の含有量は、発泡性、放射性物質の吸着能力、経済性という観点から、アオイ科トロロアオイ属由来成分の質量に対して、１〜１０万倍程度であればよい。
【００３８】
本発明の除染剤組成物は、本発明の効果を損なわない範囲で、炭化水素系界面活性剤、発泡助剤、泡安定剤、ｐＨ調整剤、防錆剤、防腐剤、泡調整剤、アルカリ剤等の任意成分を含んでいてもよい。
【００３９】
（２）除染方法
次に、本発明の除染方法について説明する。本発明の除染方法は、上記除染剤組成物を、放射性物質を含む放射性汚染物に散布、又は混合することにより、放射性汚染物から放射性物質を除去するものである。
【００４０】
土壌、建物、道路、森林、瓦礫及び焼却灰等の放射性汚染物をそのまま上記除染剤組成物と混合することも可能であり、これら放射性汚染物をできるだけ細かく破砕した後（土壌及び焼却灰等であればそのまま）、水に分散し、放射性汚染物の水分散体を得てから、上記除染剤組成物と混合することも可能である。
【００４１】
この混合により、放射性汚染物に含まれる放射性物質は、上記除染剤組成物に含まれるアオイ科トロロアオイ属由来成分に吸着して捕捉され、放射性汚染物は効率良く除染される。
【００４２】
本発明の除染方法においては、除染剤組成物と放射性汚染物との混合物に気体を注入すること、が好ましい。上記のように、気体の注入により除染剤組成物と放射性汚染物との混合物内に泡が発生し、当該泡によって放射性汚染物に含まれる汚染物を浮上分級させることができ（例えば、放射性汚染物が土壌の場合、粘土及びシルトを浮上する泡によって分級・分離させることができ）、除染が困難とされている粒径等のサイズが小さい放射性汚染物（この場合はシルトや有機物）から放射性物質をより確実に除去することができるからである。これにより、放射性汚染物の除染処理後の容積を小さくすることができる。なお、気体を注入した後に発生した泡を収集し、ケラチン加水分解物を用いて当該泡を物理的又は化学的に消泡してもよい。
【００４３】
気体の注入方法としては、例えば、バブリング乃至はエアレーションという方法が挙げられる。また、気体の注入量としては、処理作業の負荷、処理装置の規模、経済性という観点から、１分間あたりの流量は、例えば、処理物容積の０．１〜１００倍程度の流量であればよい。
【００４４】
また、本発明の除染方法においては、除染剤組成物を放射性汚染物と混合して放射性汚染物から放射性物質を除去した後、更に放射性汚染物を界面活性剤で洗浄すること、が好ましい。上記のようにアオイ科トロロアオイ属由来成分単独、又は、アオイ科トロロアオイ属由来成分及びケラチン加水分解物の組合せ、又は、アオイ科トロロアオイ属由来成分及びケラチン加水分解物及び気体の組合せ、によって除染処理を施した放射性汚染物に放射性物質が残存している場合に、当該残存放射性物質を洗い流すことができ、放射性汚染物から放射性物質を更に効率良く除去できるからである。
【００４５】
ここで、本発明において用いることのできる界面活性剤としては、本発明の効果を損なわない範囲で、従来公知の界面活性剤を採用することが可能である。即ち、界面活性剤は、両性イオン界面活性剤や、陰イオン系界面活性剤、陽イオン系界面活性剤、非イオン系界面活性剤等公知の界面活性剤から選ばれる１種又はそれ以上の界面活性剤を含むものとすることが可能であり、その液性は塩基性、酸性、中性のいずれであってもよい。
【００４６】
界面活性剤には、両性イオン界面活性剤であるアルキルアミンオキシドや、アルキルアミノ脂肪酸ナトリウム、アルキルベタイン等を採用することが可能である。また同様に、界面活性剤成分には、陰イオン系界面活性剤である脂肪酸ナトリウムや脂肪酸カリウム、陽イオン系界面活性剤であるアルキルトリメチルアンモニウム塩、ジアルキルジメチルアンモニウム塩、非イオン系界面活性剤であるポリオキシエチレンソルビタン脂肪酸エステルや、ポリオキシエチレンアルキルエーテル、ポリオキシエチレンアルキルフェニルエーテル等を採用することが可能である。また、界面活性剤成分には、前述したような界面活性剤の他、発泡助剤、泡安定剤、ｐＨ調整剤、防錆剤、防腐剤、泡調整剤や、アルカリ剤等が含まれていてもよい。
【００４７】
界面活性剤の使用量としては、洗浄性能、経済性という観点から、洗浄対象物に対して０．０５〜１０％という量であればよい。
【００４８】
また、本発明の除染方法においては、上記除染方法により得られる放射性物質を含む排液に更に凝集剤を添加し、放射性物質を凝集分離して濃縮すること、が好ましい。上記のように、放射性汚染物から放射性物質を凝集分離及び濃縮することができ、放射性汚染物の減容化効率が高くなり、更に、凝集沈殿処理後の排液は放射性物質を含まないため、安全に公共水域に放流することができ、このことからも放射性汚染物の減容化効率が高いからである。
【００４９】
この場合、凝集剤がアオイ科トロロアオイ属由来成分を含むこと、が好ましい。上記のように、排液に含まれる放射性物質を効率良く凝集分離することができ、また、天然成分により凝集させるため、より排液に凝集剤が残存していても安全に公共水域に放流することができ、自然に優しいからである。
【００５０】
また、アオイ科トロロアオイ属由来成分以外の凝集剤を用いることも可能であり、アオイ科トロロアオイ属由来成分と、アオイ科トロロアオイ属由来成分以外の凝集剤と、を含む凝集剤を用いることも可能である。
【００５１】
アオイ科トロロアオイ属由来成分以外の凝集剤としては、本発明の効果を損なわない範囲で従来公知の凝集剤を用いることができ、凝集助剤を併用してもよい。
【００５２】
凝集剤としては、多価金属塩を含む凝集剤や高分子凝集剤を好適に使用することが可能である。凝集剤として用いることが可能な多価金属塩には、アルミニウム（Ａｌ）や鉄（Ｆｅ）、マグネシウム（Ｍｇ）、カルシウム（Ｃａ）等の多価の金属塩を採用することが可能であり、例えば硫酸アルミニウム（硫酸バンド；Ａｌ2（ＳＯ4）3・ｎＨ2Ｏ）（日本工業規格  規格番号ＪＩＳＫ１４２３）や、ポリ塩化アルミニウム（ＰＡＣ；Ａｌ2（ＯＨ）mＣｌ6-m）等を好適に使用することが可能である。
【００５３】
また、高分子凝集剤としては、カチオン性、アニオン性及びノニオン性のいずれの属性に分類されるものであってもよく、アクリル系の高分子の水溶性有機物にカルボキシル基やアミド基、スルホン基等を配置したものを凝集剤成分として好適に使用することが可能である。
【００５４】
また、凝集剤は、前述した硫酸アルミニウム（硫酸バンド）やポリ塩化アルミニウム等の多価金属塩から選ばれる１種又はそれ以上の物質を組み合わせて構成されたものや、１種又はそれ以上の物質を主成分とし、他の物質を副成分として含むものであってもよい。同様に、凝集剤は、前述した高分子凝集剤を１種又はそれ以上の物質を組み合わせて構成されたものや、１種又はそれ以上の物質を主成分とし、他の物質を副成分として含むものであってもよい。さらに、凝集剤成分は、多価金属塩からなる凝集剤及び高分子凝集剤の双方を含むものであってもよい。
【００５５】
凝集助剤としては、凝集促進剤やｐＨ調整剤を使用可能である。具体的には、凝集助剤成分としては、凝集促進剤として機能する珪酸塩白土や、その他の活性珪酸、アルギン酸ナトリウム、ベントナイト、粉末活性炭等についても好適に使用可能である。珪酸塩白土は、二酸化珪素（ＳｉＯ2）を主成分とし、酸化アルミルミニウム（アルミナ）（Ａｌ2Ｏ3）や、酸化ナトリウム（Ｎａ2Ｏ）、酸化鉄（Ｆｅ2Ｏ3）、酸化カルシウム（ＣａＯ）、酸化カリウム（Ｋ2Ｏ）、酸化マグネシウム（ＭｇＯ）、水分（Ｈ2Ｏ）等を含むものである。
【００５６】
珪酸塩白土としては、上記成分を種々の配合比で含むものを用いることができるが、例えば二酸化珪素（ＳｉＯ2）を７２．９６％、酸化アルミルミニウム（Ａｌ2Ｏ3）を９．９２％、酸化ナトリウム（Ｎａ2Ｏ）を４．９８％、酸化鉄（Ｆｅ2Ｏ3）を４．９５％、酸化カルシウム（ＣａＯ）を３．２７％、酸化カリウム（Ｋ2Ｏ）を０．１３％、酸化マグネシウム（ＭｇＯ）をこん跡程度、水分（Ｈ2Ｏ）を３．８１％含むもの等を好適に使用することができる。具体的には、珪酸塩白土には、ソフトシリカ（株）製の製品名「ミリオン」等を好適に使用することができる。
【００５７】
また、凝集助剤としては、ｐＨ調整剤として機能する塩基性物質や、酸性物質等を好適に使用することが可能である。塩基性物質としては、水酸化ナトリウムや、水酸化カリウム、水酸化カルシウム、炭酸水素ナトリウム、炭酸水素カリウム、炭酸ナトリウム、炭酸カリウム等を好適に使用することが可能である。また、酸性物質としては、硫酸や炭酸、塩酸等を好適に使用することが可能である。凝集助剤成分は、前述した塩基性物質や酸性物質から選ばれる１種又はそれ以上の物質を組み合わせて構成されたものや、１種又はそれ以上の物質を主成分とし、他の成分を副成分として含むものであってもよい。
【００５８】
ここで、図１は、本発明の除染方法の一実施形態を説明するための図である。図１に示すように、放射性汚染物質としての土壌（汚染土）を除染処理に供する場合、まず、汚染土を処理容器内にて水に攪拌して、水分散体とし、ここに除染剤組成物を投入する。
【００５９】
次に、水分散体においては自然に粘土とシルトが分離するが、ここで水分散体に気体を注入する（バブリング乃至はエアレーション）。これにより、汚染土壌における粘土部分（粒径等のサイズが大きい放射性汚染物）とシルト部分粒径等のサイズが小さい放射性汚染物）とを泡によってより確実に浮上分離する。泡とともに浮上分離されたシルト部分は、処理容器から溢れ出て、隣接する第二の処理容器に移動する。
【００６０】
この第二の処理容器には、放射性物質が含まれた放射性汚染物の大部分であるシルト部分が貯められ、ここに上記凝集剤を添加するとともに攪拌する。この攪拌により、シルト部分に含まれる放射性物質は凝集分離し、排液となる排水には放射性物質は含まれずそのままは排水することが可能である。
【００６１】
また、ケラチン加水分解物は発泡性能を有するが、その条件を設定することで発泡後の泡が発泡し易くしたり、容易に消泡する性能とすることができる。また、容易に消泡するためには金属板や金網等の機械的な構造で消泡する方法や化学的につぶす方法を使えば、さらに、容易に液化できる。
【実施例】
【００６２】
以下において、上述した除染剤組成物及びこれを用いた除染方法についての実施例及び比較例を含む実験例について説明する。
【００６３】
放射能に汚染された土壌を各除染剤組成物で除染処理した放射線量を測定した。また、除染剤組成物で除染処理した後に界面活性剤で洗浄した場合、更にその後に水洗処理した場合の放射線量も測定した。具体的には以下のような手順で実験を行ない、結果は以下の表に示した。
【００６４】
≪実験１≫
水単独と、Ａ剤（オクラを乾燥・粉砕して得られた粉状体）の吸着効果の差を評価するため、汚染タオルを洗濯機に入れ、３０Ｌの水で５分間洗濯した後に乾燥し、乾燥後の汚染タオル（固体相）について、文部科学省  放射線測定法シリーズ７  ゲルマニウム半導体検出器によるガンマ線スペクトロメトリー方法により、セシウム１３７の放射線（量）濃度を測定した。
【００６５】
≪実験２≫
次に、上記実験２の水３０Ｌに、アオイ科トロロアオイ属由来成分として、八紀産業（株）製のＡ剤（オクラを乾燥・粉砕して得られた粉状体）１．５ｇを溶解し、上記実験１と同様な処理を施した汚染タオルについて、放射線濃度を測定した。
【００６６】
【表１】
0006046372.tif 000002
【００６７】
上記実験の結果から、本発明の除染剤組成物は、従来の水洗に比して除染効率が高いことがわかる。
【００６８】
≪実験３≫
次に、Ａ剤の吸着効果と界面活性剤による汚染物質の洗浄効果を評価するため、汚染土壌８０ｇを、Ａ剤４０ｍｇを溶解した水４００ｍｌで１０分間撹拌洗浄後、遠心分離をし、乾燥後の固体相の放射線濃度を表面汚染サーベイメーターにて測定した。
【００６９】
≪実験４≫
実験３に引き続いて、遠心分離、乾燥後の固体相を、両性イオン界面活性剤であるアルキルベタインとして竹本油脂（株）製のパイオニンＣ−１５８Ｄ１．２ｍｌを添加した水４００ｍｌで１０分間撹拌洗浄した後、遠心分離をし、乾燥後の固体相の放射線濃度を表面汚染サーベイメーターにて測定した。
【００７０】
【表２】
0006046372.tif 000003
【００７１】
上記実験結果から、本発明の除染剤組成物は、従来の水洗に比して除染効率が高いことがわかる。さらに界面活性剤で洗浄することで除染効果が高まることがわかる。
【００７２】
≪実験５≫
汚染土壌の粒子径ごとの放射線濃度を確認するため、汚染土壌を適量の水に分散させながら標準ふるいで粒度ごとにふるい分けた汚染土壌について、放射線濃度を表面汚染サーベイメーターにて測定した。
【００７３】
【表３】
0006046372.tif 000004
【００７４】
上記実験の結果から、汚染土壌中の３８μｍ以下の微粒子部分の放射線濃度が集中していることがわかる。
【００７５】
≪実験６≫
次に、ケラチン加水分解物と気体による土壌の分級効果を評価するために、土壌４０ｋｇを、ケラチン加水分解物１Ｌを溶解した水１００Ｌで撹拌した後、空気を毎分１００Ｌの流量で注入し、泡化しながら泡に付着した土壌の粒度分布をレーザー回折式粒度分布測定装置にて測定した。
【００７６】
【表４】
0006046372.tif 000005
【００７７】
上記実験結果から、ケラチン加水分解物と気体注入を併用することで効率的に土壌の微粒子部分のみを効率的に捕捉できることがわかる。このことは汚染土壌中の微粒子部分の放射線量が集中している部分のみを効率的に捕捉できることを意味する。
【００７８】
≪実験７≫
Ａ剤の吸着効果を評価するため、汚染土壌６０ｇを、Ａ剤を５０ｍｇ溶解した水１Ｌ中に分散させ、容積２．７Ｌの容器に入れ、その底部から毎分４．４Ｌの流速でマイクロバブル水を導入しながら、容器内に浮遊した土壌を採取し、乾燥後の固体相について、文部科学省  放射線測定法シリーズ７  ゲルマニウム半導体検出器によるガンマ線スペクトロメトリーという方法によりセシウム１３７の放射線濃度を測定した。
【００７９】
【表５】
0006046372.tif 000006
【００８０】
≪実験８≫
更に、マイクロバブル水を導入し得られた水分散体に凝集剤として八紀産業（株）製のＦＲＯＧを２０ｇと助剤を投入した後、撹拌して凝集分離し、濾別後に固体相及び水相の放射線濃度を測定した。
【００８１】
【表６】
0006046372.tif 000007
【００８２】
上記実験の結果から、本発明の除染剤組成物は、従来の水洗に比して除染効率が高いことがわかる。
【００８３】
また、一般的に放射性汚染物の中でも粒径の小さい（比表面積の大きい）粒子の汚染度が高いが、気体を注入することで同様の吸着効果が得られるとともに、粒径の小さい粒子を捕集（分級）することで除染後の汚染物質の減容化効率が高くなる。
【００８４】
また、除染剤組成物に気体を混合し泡化することで建物等の立体構造物からなる放射性汚染物を処理する場合に付着性が高まることが期待される。このことは、除染剤成分の放射性汚染物に対する感作時間を延長することとなり、結果として除染効果を高めることができる。
【図１】
0006046372.tif 000008